(57)【要約】【課題】相隣接する支柱間の距離が無視できない程度に変化した場合であっても、積載状態を高強度に保持可能な防音パネル及び防音壁を提供する。【解決手段】防音パネル１０は、吸音材１２と、吸音材１２を収容し、且つ、背面Ｓ２、左面Ｓ６、上面Ｓ３及び下面Ｓ４を有する筐体１４と、背面Ｓ２とフランジ部８８の間のスペース９０に介挿されるスペーサ部材５０とを備える。スペーサ部材５０は、背面Ｓ２及び上面Ｓ３を跨ぐ位置に配された状態にて筐体１４に固定されている。【選択図】図３
2016079610.tif 000002
【特許請求の範囲】
【請求項１】
フランジ部を有する支柱が所定の間隔で並設された状態にて、相隣接する前記支柱の間に複数積載して防音壁を構築するための防音パネルであって、
吸音材と、
前記吸音材を収容し、且つ、主面、側面、上面及び下面を有する筐体と、
前記主面と前記フランジ部の間のスペースに介挿されるスペーサ部材と
を備え、
前記スペーサ部材は、前記主面及び前記上面を跨ぐ位置に配された状態にて前記筐体に固定されている
ことを特徴とする防音パネル。
【請求項２】
前記スペーサ部材は、前記上面の方からボルトで固定され、
前記下面には、前記防音パネルの積載方向から視て、前記ボルトの頭部領域を含む部位を欠く空間部が形成されている
ことを特徴とする請求項１に記載の防音パネル。
【請求項３】
前記側面には、ケーブルを引掛可能な引掛手段が取り付けられ、
前記スペーサ部材は、前記引掛手段に対して積載方向上方の位置に配され、
前記上面には、前記スペーサ部材の周辺にて前記ケーブルを挿通可能な挿通部が形成されている
ことを特徴とする請求項１又は２に記載の防音パネル。
【請求項４】
請求項１〜３のいずれか１項に記載の防音パネルと、
フランジ部を有する支柱と
をそれぞれ複数備え、
前記支柱が所定の間隔で並設された状態にて、相隣接する前記支柱の間に前記防音パネルを複数積載してなることを特徴とする防音壁。
【発明の詳細な説明】
【技術分野】
【０００１】
本発明は、支柱が所定の間隔で並設された状態にて、相隣接する前記支柱の間に複数積載して防音壁を構築するための防音パネル、及び前記防音パネルにより構築される防音壁に関する。
【背景技術】
【０００２】
従来から、道路又は線路を走行中の車両が発する騒音を低減するため、道路又は線路に沿って設置する防音壁が開発されている。この防音壁は、所定の間隔で並設されたＨ形支柱の間に防音パネルを落とし込み積載することで組み立てられる（特許文献１参照）。
【０００３】
図８は、従来における防音パネル１の積載方法を示す概略説明図である。本図は、相隣接するＨ形支柱２の間に防音パネル１が落とし込まれた状態を示す。Ｈ形支柱２には、フランジ部３、４が形成されている。フランジ部３、４の間の離間長は防音パネル１の厚さよりも大きく設けられているので、背面側のフランジ部４と防音パネル１の背面の間にスペース５（隙間）が生じる。
【０００４】
そこで、図示しない作業者は、別体の固定部材６をスペース５内に嵌め込み、固定部材６の上側から叩き込むことで、防音パネル１をＨ形支柱２に固定させる。その後、固定された防音パネル１の上方から別の防音パネル１を落とし込み、以下これらの作業を順次繰り返すことで防音壁が完成する。
【先行技術文献】
【特許文献】
【０００５】
【特許文献１】特開２０１３−１２４４８３号公報
【発明の概要】
【発明が解決しようとする課題】
【０００６】
ところで、道路橋或いは鉄道橋等には、気温変化による橋の伸縮、地震時及び車両の通行に伴う橋の変形を吸収するために伸縮部が設けられている。この伸縮部は、例えば、ゴム材等により構成されており、橋の伸縮・変形に対して柔軟に追随・移動する。この伸縮部を跨いでＨ形支柱２が設置された場合、伸縮部の移動に伴い、相隣接するＨ形支柱２間の距離が無視できない程度に変化し得る。その結果、嵌め込まれた固定部材６がスペース５から抜け落ち、防音パネル１の落下を引き起こすという懸念があった。また、地震を含む振動の発生により路面に歪みが生じる場合であっても、上記と同様の懸念があった。
【０００７】
本発明は、上述した課題に鑑みてなされたものであり、相隣接する支柱間の距離が無視できない程度に変化した場合であっても、積載状態を高強度に保持可能な防音パネル及び防音壁を提供することを目的とする。
【課題を解決するための手段】
【０００８】
本発明に係る防音パネルは、フランジ部を有する支柱が所定の間隔で並設された状態にて、相隣接する前記支柱の間に複数積載して防音壁を構築するためのパネルであって、吸音材と、前記吸音材を収容し、且つ、主面、側面、上面及び下面を有する筐体と、前記主面と前記フランジ部の間のスペースに介挿されるスペ−サ部材とを備え、前記スペーサ部材は、前記主面及び前記上面を跨ぐ位置に配された状態にて前記筐体に固定されている。
【０００９】
このように、筐体が有する主面と支柱が有するフランジ部の間のスペースに介挿されるスペ−サ部材をそれぞれの筐体に固定したので、支柱の立設状態にかかわらず、筐体とスペーサ部材の位置関係を少なくとも保持可能となる。しかも、スペ−サ部材を主面及び上面を跨ぐ位置に配することで、直上に積載された防音パネルの自重をスペーサ部材に対して付与可能となり、スペーサ部材の固定状態の安定性が一層向上する。これにより、相隣接する支柱間の距離が無視できない程度に変化した場合であっても、防音パネルの積載状態を高強度に保持できる。
【００１０】
また、前記スペ−サ部材の固定手段としてボルトを用いた場合、前記下面には、前記防音パネルの積載方向から視て、前記ボルトの頭部領域を含む部位を欠く空間部が形成されていることが好ましい。これにより、２つの防音パネルを積載方向に配置する際に、ボルトの頭部が筐体の下面に干渉するのを防止でき、上面及び下面の密着性を維持できる。また、ボルトの頭部が空間部に嵌合するため、防音パネル同士の位置ずれを抑制する効果もある。特に、道路橋或いは鉄道橋等には、橋の伸縮・変形を吸収するための伸縮部が設けられている。この伸縮部は、橋の伸縮・変形に対して柔軟に追随・移動するので、上記した位置ずれの抑制効果が顕著に現われる。
【００１１】
また、前記側面には、ケーブルを挿通可能な引掛手段が取り付けられ、前記スペーサ部材は、前記引掛手段に対して積載方向上方の位置に配され、前記上面には、前記スペーサ部材の周辺にて前記ケーブルを挿通可能な挿通部が形成されていることが好ましい。これにより、スペーサ部材の存在にかかわらず、挿通部を介して、上面から側面にかけてケーブルを挿通できると共に、ケーブル長を短くできる。
【００１２】
本発明に係る防音壁は、上記したいずれかの防音パネルと、フランジ部を有する支柱とをそれぞれ複数備え、前記支柱が所定の間隔で並設された状態にて、相隣接する前記支柱の間に前記防音パネルを複数積載してなる。
【発明の効果】
【００１３】
本発明に係る防音パネル及び防音壁によれば、相隣接する支柱間の距離が無視できない程度に変化した場合であっても、積載状態を高強度に保持できる。
【図面の簡単な説明】
【００１４】
【図１】この実施形態に係る防音パネルの正面図である。
【図２】図１に示す防音パネルの分解斜視図である。
【図３】図１に示す防音パネルの側面図である。
【図４】図１に示す防音パネルの角部周辺における部分拡大平面図である。
【図５】図１に示す防音パネルの角部周辺における部分拡大底面図である。
【図６】図１の防音パネルを複数積載した状態を示す正面図である。
【図７】図６のＶＩＩ−ＶＩＩ線に沿った部分拡大断面図である。
【図８】従来における防音パネルの積載方法を示す概略説明図である。
【発明を実施するための形態】
【００１５】
以下、本発明に係る防音パネルについて、防音壁との関係において好適な実施形態を挙げ、添付の図面を参照しながら説明する。
【００１６】
［防音パネル１０の全体構成］
先ずは、防音パネル１０の全体構成について図１〜図３を参照しながら説明する。図１は、この実施形態に係る防音パネル１０の正面図である。図２は、図１に示す防音パネル１０の分解斜視図である。図３は、図１に示す防音パネル１０の側面図である。
【００１７】
防音パネル１０は、扁平な直方体状である吸音材１２と、吸音材１２を収容する筐体１４とを含んで構成される。吸音材１２は、音波強度を減衰させる材料、例えば、表面を撥水クロスで被覆されたポリエステル繊維、樹脂フィルムで被覆されたグラスウール等からなる。
【００１８】
筐体１４は、正面Ｓ１（主面）、背面Ｓ２（主面）、上面Ｓ３、下面Ｓ４、右面Ｓ５（側面）、左面Ｓ６（側面）からなる６つの面を有する。筐体１４は、平行に対向する第１面板１６及び第２面板１８と、第１面板１６及び第２面板１８の両側部を連結する一対の側板２０、２０とからなる。例えば、第１面板１６はアルミニウム合金板からなり、第２面板１８及び側板２０は亜鉛メッキ鋼板からなる。
【００１９】
第１面板１６には、外部からの音波を筐体１４内に導入するルーバ２２が面状に設けられている。第１面板１６の上縁側には、第２面板１８の側に向けて鋭角に折り曲げることで、第１折曲部２４が筐体１４の厚さ分だけ延長形成されている。第１折曲部２４の先端側には、筐体１４の内側に向けて鈍角に折り曲げることで、第１係合部２６が延長形成されている。
【００２０】
第２面板１８の上縁側には、第１面板１６の側に向けて鈍角に折り曲げることで、第２折曲部２８が筐体の厚さ分だけ延長形成されている。第２面板１８の下縁側には、第１面板１６の側に向けて鋭角に折り曲げることで、第３折曲部３０が筐体１４の厚さ分だけ延長形成されている。なお、第２面板１８の折り曲げ強度を高めるため、第２面板１８の中間高さ位置には、断面略台形の突条３２が筐体１４の内側に向けて折曲形成されている。
【００２１】
各側板２０の両縁側には、第１折返部３４、第２折返部３６が略直角に折返形成されており、これにより各側板２０の断面は略Ｕ字状になっている。第１折返部３４と第２折返部３６の間（側板２０の内側）には、ケーブル９２（図７参照）を挿通可能なアイボルト３８（引掛手段）が取り付けられている。
【００２２】
第１面板１６の側縁部及び第２面板１８の側縁部にはそれぞれ、複数のリベット孔４０が所定間隔おきに設けられている。また、側板２０の第１折返部３４及び第２折返部３６には、複数のリベット孔４２が所定間隔おきに設けられている。対向するリベット孔４０、４２はそれぞれ重なり合う位置に配されており、第１面板１６の側縁部及び第１折返部３４、並びに、第２面板１８の側縁部及び第２折返部３６は、リベット４４によりそれぞれ連結・固定されている。
【００２３】
正面Ｓ１の下端側には下方に突出する突出部４６が形成されると共に、正面Ｓ１の上端側には凹部４８が形成されている。複数の防音パネル１０を積載する場合、上段側の突出部４６が下段側の凹部４８に係合することで、上段側の下面Ｓ４は下段側（より詳細にはスペーサ部材５０）に対して面接触する。
【００２４】
筐体１４の上側両角部には、金属板を折り曲げてなるスペーサ部材５０が、挿通孔５２、５３を介して、ボルト５４及びナット５６で固定されている。後述するように、スペーサ部材５０は、背面Ｓ２とフランジ部８８（図７）の間のスペース９０（同図）に介挿するための部材である。
【００２５】
［スペーサ機構の説明］
次いで、防音パネル１０のスペーサ機構について図４及び図５を更に参照しながら説明する。図４は、図１に示す防音パネル１０の角部周辺における部分拡大平面図である。図５は、図１に示す防音パネル１０の角部周辺における部分拡大底面図である。なお、これらの図は、左面Ｓ６の近傍のみを示しているが、右面Ｓ５についても同様である。
【００２６】
図４に示すように、スペーサ部材５０は、左面Ｓ６よりも外側であって背面Ｓ２及び上面Ｓ３を跨ぐ位置に配された状態にて、ボルト５４により筐体１４に固定されている。上面Ｓ３には、スペーサ部材５０の周辺位置にて、側方から矩形状に切り欠いた上面側切欠部５８（挿通部）が形成されている。
【００２７】
図５に示すように、下面Ｓ４には、側方から矩形状に大きく切り欠いた矩形状の下面側切欠部６０（空間部）が形成されている。これにより、防音パネル１０を積載する方向（以下、積載方向）の下方側から視て、アイボルト３８のリング孔６２の一部が露呈している。
【００２８】
なお、一点鎖線で示す六角形は、積載方向におけるボルト５４の頭部の平面投影領域（以下、頭部領域６４）を示す。つまり、下面側切欠部６０は、積載方向上方側から視て、ボルト５４の頭部領域６４を含む部位をすべて網羅する。
【００２９】
［防音壁８０の構成］
続いて、防音壁８０の構成について、図６及び図７を参照しながら説明する。図６は、図１の防音パネル１０を複数積載した状態を示す正面図である。図７は、図６のＶＩＩ−ＶＩＩ線に沿った部分拡大断面図である。
【００３０】
図６に示すように、防音壁８０は、路面８２上に略等間隔で並設された複数のＨ形支柱８４（支柱）と、相隣接するＨ形支柱８４の間に積載された複数の防音パネル１０とから構成される。本図例では、４枚の防音パネル１０ａ、１０ｂ、１０ｃ、１０ｄを下から順に積載することで、防音壁８０のブロック（繰り返し単位）を構成する。
【００３１】
図７に示すように、スペーサ部材５０は、第２面板１８（背面Ｓ２）とフランジ部８８の間のスペース９０に介挿されている。また、防音パネル１０ｂ側の突出部４６が防音パネル１０ａ側の凹部４８に係合することで、防音パネル１０ｂの第３折曲部３０（下面Ｓ４）は、スペーサ部材５０に対して面接触する。これにより、防音パネル１０ａ、１０ｂは、フランジ部８６、８８の間にて安定的に固定される。
【００３２】
このように、下面Ｓ４には下面側切欠部６０が形成されているので、２つの防音パネル１０ａ、１０ｂを積載方向に配置する際に、ボルト５４の頭部が筐体１４の下面Ｓ４に干渉するのを防止でき、上面Ｓ３及び下面Ｓ４の密着性を維持できる。しかも、下面側切欠部６０側に露呈する下面Ｓ４の内壁にボルト５４の頭部が突き当たって嵌合することで、防音パネル１０ａ、１０ｂ同士の位置ずれを抑制する効果もある。特に、道路橋或いは鉄道橋等には、橋の伸縮・変形を吸収するための伸縮部が設けられている。この伸縮部は、橋の伸縮・変形に対して柔軟に追随・移動するので、上記した位置ずれの抑制効果が顕著に現われる。
【００３３】
また、Ｈ形支柱８４の高さ方向に沿ってケーブル９２（落下防止用ワイヤ）が設けられている。ケーブル９２は、上から順に、防音パネル１０ｂのリング孔６２、下面側切欠部６０、防音パネル１０ａの上面側切欠部５８、リング孔６２に挿通されている。
【００３４】
このように、スペーサ部材５０はアイボルト３８に対して積載方向上方の位置に配され、且つ、上面Ｓ３には上面側切欠部５８が形成されているので、スペーサ部材５０の存在にかかわらず、上面側切欠部５８を介して、上面Ｓ３から左面Ｓ６にかけてケーブル９２を挿通できると共に、ケーブル長を短くできる。
【００３５】
なお、上記の作用効果を得るためには、ボルト５４の頭部領域６４を含む部位を欠く空間部を設ければよく、下面側切欠部６０に代えて、孔部、穴部或いは凹部を形成してもよい。また、スペーサ部材５０の周辺にてケーブル９２を挿通可能な挿通部を設ければよく、上面側切欠部５８に代えて孔部を形成してもよい。
【００３６】
［防音パネル１０及び防音壁８０による効果］
以上のように、防音パネル１０は、吸音材１２と、吸音材１２を収容し、且つ、背面Ｓ２、左面Ｓ６、上面Ｓ３及び下面Ｓ４を有する筐体１４と、背面Ｓ２とフランジ部８８の間のスペース９０に介挿されるスペーサ部材５０とを備え、スペーサ部材５０は、背面Ｓ２及び上面Ｓ３を跨ぐ位置に配された状態にて筐体１４に固定されている。
【００３７】
また、防音壁８０は、上記した防音パネル１０と、フランジ部８６、８８を有するＨ形支柱８４とをそれぞれ複数備え、Ｈ形支柱８４が所定の間隔で並設された状態にて、相隣接するＨ形支柱８４の間に防音パネル１０を複数積載してなる。
【００３８】
このように、筐体１４が有する背面Ｓ２とＨ形支柱８４が有するフランジ部８８の間のスペース９０に介挿されるスペーサ部材５０をそれぞれの筐体１４に固定したので、Ｈ形支柱８４の立設状態にかかわらず、筐体１４とスペーサ部材５０の位置関係を少なくとも保持可能となる。しかも、スペーサ部材５０を背面Ｓ２及び上面Ｓ３を跨ぐ位置に配することで、直上に積載された防音パネル１０の自重をスペーサ部材５０に対して付与可能となり、スペーサ部材５０の固定状態の安定性が一層向上する。これにより、相隣接するＨ形支柱８４間の距離が無視できない程度に変化した場合であっても、防音パネル１０の積載状態を高強度に保持できる。
【００３９】
［備考］
なお、この発明は、上述した実施形態に限定されるものではなく、この発明の主旨を逸脱しない範囲で自由に変更できることは勿論である。
【００４０】
この実施形態では、正面Ｓ１側をフランジ部８６に当接させながら背面Ｓ２側にスペーサ部材５０を介挿させているが、これに限られることなく、少なくとも一方の主面にスペーサ部材５０を介挿させればよい。例えば、背面Ｓ２をフランジ部８８に当接させながら正面Ｓ１側にスペーサ部材５０を介挿させてもよいし、正面Ｓ１側及び背面Ｓ２側に対して同時に各スペーサ部材５０を介挿させてもよい。
【００４１】
この実施形態では、アイボルト３８のリング孔６２を介してケーブル９２を引っ掛けているが、これに限られることなく、例えば、フックを含む公知の引掛手段を適用してもよい。また、ボルト５４を介してスペーサ部材５０を筐体１４に固定しているが、これに限られることなく、公知の固定手段を種々採用できる。また、スペーサ部材５０を上面Ｓ３側から固定しているが、これと併せて又はこれとは別に、背面Ｓ２（主面）側から固定してもよい。
【００４２】
この実施形態では、防音パネル１０を保持する手段としてＨ形支柱８４を適用しているが、これに限られない。例えば、断面形状がＴ字、Ｌ字である支柱、すなわちフランジ部を有する支柱であれば本発明を適用できる。
【符号の説明】
【００４３】
１０‥防音パネル                        １２‥吸音材
１４‥筐体                              １６‥第１面板
１８‥第２面板                          ２０‥側板
２２‥ルーバ                            ３８‥アイボルト（引掛手段）
５０‥スペーサ部材                      ５４‥ボルト
５８‥上面側切欠部（挿通部）            ６０‥下面側切欠部（空間部）
６４‥頭部領域                          ８０‥防音壁
８４‥Ｈ形支柱（支柱）                  ８６、８８‥フランジ部
９０‥スペース                          ９２‥ケーブル
Ｓ１‥正面（主面）                      Ｓ２‥背面（主面）
Ｓ３‥上面                              Ｓ４‥下面
Ｓ５‥右面（側面）                      Ｓ６‥左面（側面）
【図１】
2016079610.tif 000003
【図２】
2016079610.tif 000004
【図３】
2016079610.tif 000005
【図４】
2016079610.tif 000006
【図５】
2016079610.tif 000007
【図６】
2016079610.tif 000008
【図７】
2016079610.tif 000009
【図８】
2016079610.tif 000010